(57)【要約】【課題】  ボイルオフガスの排出容量の調整を行う往復式ボイルオフガス圧縮機の起動を速やかに行うことができるボイルオフガス吸い込み管冷却システムを提供することである。【解決手段】  高圧側ボイルオフガス排出配管１５と低圧側ボイルオフガス排出配管２１とを接続する冷却配管２８を設け、高圧貯槽１２ａ〜１２ｄから低圧貯槽１４ａ〜１４ｄに圧力差を利用して常時ボイルオフガスを流す冷却配管２８を設け、往復式ボイルオフガス圧縮機１８ａ、１８ｂ、２４ａ、２４ｂのボイルオフガス吸い込み管１９ａ、１９ｂ、２５ａ、２５ｂ及び遠心式ボイルオフガス圧縮機１６、２３のボイルオフガス吸い込み管１７、２３を常時冷却する。【選択図】  図１
2006258118.tif 000002
【特許請求の範囲】
【請求項１】
液化天然ガスが高圧で貯蔵された高圧貯槽と、
前記高圧貯槽の液化天然ガスの圧力より低圧の液化天然ガスが貯蔵された低圧貯槽と、
前記高圧貯槽または前記低圧貯槽で発生したボイルオフガスを排出するボイルオフガス排出配管と、
前記高圧貯槽または前記低圧貯槽の内圧が所定圧力になるように前記高圧貯槽または前記低圧貯槽で発生したボイルオフガスを排出する遠心式ボイルオフガス圧縮機と、
前記高圧貯槽または前記低圧貯槽の内圧が所定圧力になるように前記高圧貯槽または前記低圧貯槽で発生したボイルオフガスを排出する往復式ボイルオフガス圧縮機と、
前記高圧貯槽から前記低圧貯槽にボイルオフガスを流し前記遠心式ボイルオフガス圧縮機のボイルオフガス吸い込み管または前記往復式ボイルオフガス圧縮機のボイルオフガス吸い込み管を冷却する冷却配管と、
を備えたことを特徴とするボイルオフガス吸い込み管冷却システム。
【請求項２】
前記冷却配管に、ボイルオフガスを遮断する遮断弁及びボイルオフガスの流量を調節する流量調節弁を設けたことを特徴とする請求項１記載のボイルオフガス吸い込み管冷却システム。
【請求項３】
液化天然ガスが高圧で貯蔵された高圧貯槽と、
前記高圧貯槽の液化天然ガスの圧力より低圧の液化天然ガスが貯蔵された低圧貯槽と、
前記高圧貯槽または前記低圧貯槽で発生したボイルオフガスの一部をリターンガス吸い込み管を介してＬＮＧ船にリターンするリターンガスブロアと、
前記高圧貯槽または前記低圧貯槽から前記リターンガスブロアによりＬＮＧ船にボイルオフガスを供給するリターンガス供給管と、
前記高圧貯槽から前記低圧貯槽にボイルオフガスを流し前記リターンガス供給管及び前記リターンガス吸い込み管を冷却する冷却配管と、
を備えたことを特徴とするリターンガス供給系統冷却システム。
【請求項４】
前記冷却配管に、ボイルオフガスを遮断する遮断弁及びボイルオフガスの流量を調節する流量調節弁を設けたことを特徴とする請求項３記載のリターンガス供給系統冷却システム。
【発明の詳細な説明】
【技術分野】
【０００１】
本発明は、液化天然ガスを貯蔵する貯槽で発生したボイルオフガスを気化ガス系統に排出する際に往復式ボイルオフガス圧縮機の吸い込み管を冷却するボイルオフガス吸い込み管冷却システム、及び液化天然ガスを貯蔵する貯槽で発生したボイルオフガスをＬＮＧ船にリターンガスとして供給する際にリターンガス吸い込み管やリターンガス供給管等を冷却するリターンガス供給系統冷却システムに関する。
【背景技術】
【０００２】
液化天然ガス（以下ＬＮＧという）を貯蔵する貯槽においては、ボイルオフガス（ＢＯＧ）の発生量に応じて内圧が変化するので、貯槽の内圧が上昇した場合にはボイルオフガス圧縮機によりボイルオフガスを外部に排出し、貯槽の内圧が設定値になるように制御している。
【０００３】
例えば、ＬＮＧを貯槽する貯槽にレベル計及び圧力計を、往復動形圧縮機には容量調整機構をそれぞれ設けると共に演算装置を設け、これらを有機的に結合し、レベル計の信号により貯槽の気相部の内容積を演算し、圧力計の信号により圧力変化速度を演算し、これら両者によりボイルオフガス発生量を求め、その結果によりボイルオフガス圧縮機の圧送量を自動的に制御するようにしたものがある（例えば特許文献１参照）。
【０００４】
一般に、ボイルオフガス圧縮機には遠心式（ターボ型）ボイルオフガス圧縮機と往復式（レシプロ型）ボイルオフガス圧縮機とがあり、通常、遠心式ボイルオフガス圧縮機及び往復式ボイルオフガス圧縮機が併用されている。一般的に遠心式ボイルオフガス圧縮機は、貯槽で発生したボイルオフガスの大容量を処理するベースロード用として使用され、往復式ボイルオフガス圧縮機は、ボイルオフガスの排出容量の調整が可能であり貯槽の圧力制御等に使用される。
【０００５】
また、ＬＮＧ船からＬＮＧを貯槽に揚荷する際には、ＬＮＧ船が負圧とならないようにリターンガスブロアにより貯槽からボイルオフガスをリターンガスとしてＬＮＧ船に供給する。
【特許文献１】特開昭５７−５７９９９号公報
【発明の開示】
【発明が解決しようとする課題】
【０００６】
ところが、ボイルオフガスの排出容量の調整を行う往復式ボイルオフガス圧縮機は、貯槽で発生するボイルオフガス量が遠心式ボイルオフガス圧縮機で排出可能である場合には運転されないときもあるので、往復式ボイルオフガス圧縮機のボイルオフガス吸い込み管に常時ボイルオフガスが流れているわけではない。ボイルオフガスが流れていない状態がある時間以上継続すると、往復式ボイルオフガス圧縮機のボイルオフガス吸い込み管は常温まで上昇してしまうことになる。
【０００７】
貯槽で発生するボイルオフガス量が増加して往復式ボイルオフガス圧縮機を起動しなければならない状態となったときに、往復式ボイルオフガス圧縮機のボイルオフガス吸い込み管が常温まで上昇していると、往復式ボイルオフガス圧縮機を即座に駆動することができない。
【０００８】
往復式ボイルオフガス圧縮機を常温起動するには、一段吐出後にインタークーラーを設置するか、隣り合う往復式ボイルオフガス圧縮機を起動して、ボイルオフガスの流れを作ることにより、ボイルオフガスの吸い込み管を冷却しなければならない。
【０００９】
一方、ＬＮＧ船からＬＮＧを貯槽に揚荷する際には、リターンガスブロアにより貯槽からボイルオフガスをリターンガスとしてＬＮＧ船に供給することになるが、通常、貯槽からリターンガスブロアにボイルオフガスを導くリターンガス吸い込み管やリターンガスブロアからＬＮＧ船までリターンガスを導くリターンガス供給管は常温まで上昇している。従って、リターンガスは、通気当初は、リターンガス吸い込み管及び供給管内に滞留する常温のガスがＬＮＧ船に供給されることになる。
【００１０】
その場合、ＬＮＧ船内のＬＮＧ温度によりリターンガスが冷却凝縮され、リターンガスブロワで供給したリターンガスの容積がＬＮＧ船へ供給されない。従って、リターンガスが通気当初から、貯槽のボイルオフガスによりリターンガス供給管が冷却されるまでの間は、ＬＮＧを定格容量で揚荷することができない。このことから、ＬＮＧの揚荷工程に時間を要する。
【００１１】
本発明の目的は、ボイルオフガス圧縮機の起動を速やかに行うことができるボイルオフガス吸い込み管冷却システム及びＬＮＧの揚荷を速やかに行えるリターンガス供給系統冷却システムを提供することである。
【課題を解決するための手段】
【００１２】
請求項１の発明に係わるボイルオフガス吸い込み管冷却システムは、液化天然ガスが高圧で貯蔵された高圧貯槽と、前記高圧貯槽の液化天然ガスの圧力より低圧の液化天然ガスが貯蔵された低圧貯槽と、前記高圧貯槽または前記低圧貯槽で発生したボイルオフガスを排出するボイルオフガス排出配管と、前記高圧貯槽または前記低圧貯槽の内圧が所定圧力になるように前記高圧貯槽または前記低圧貯槽で発生したボイルオフガスを排出する遠心式ボイルオフガス圧縮機と、前記高圧貯槽または前記低圧貯槽の内圧が所定圧力になるように前記高圧貯槽または前記低圧貯槽で発生したボイルオフガスを排出する往復式ボイルオフガス圧縮機と、前記高圧貯槽から前記低圧貯槽にボイルオフガスを流し前記遠心式ボイルオフガス圧縮機のボイルオフガス吸い込み管または前記往復式ボイルオフガス圧縮機のボイルオフガス吸い込み管を冷却する冷却配管とを備えたことを特徴とする。
【００１３】
請求項２の発明に係わるボイルオフガス吸い込み管冷却システムは、請求項１の発明において、前記冷却配管に、ボイルオフガスを遮断する遮断弁及びボイルオフガスの流量を調節する流量調節弁を設けたことを特徴とする。
【００１４】
請求項３の発明に係わるリターンガス供給系統冷却システムは、液化天然ガスが高圧で貯蔵された高圧貯槽と、前記高圧貯槽の液化天然ガスの圧力より低圧の液化天然ガスが貯蔵された低圧貯槽と、前記高圧貯槽または前記低圧貯槽で発生したボイルオフガスの一部をリターンガス吸い込み管を介してＬＮＧ船にリターンするリターンガスブロアと、前記高圧貯槽または前記低圧貯槽から前記リターンガスブロアによりＬＮＧ船にボイルオフガスを供給するリターンガス供給管と、前記高圧貯槽から前記低圧貯槽にボイルオフガスを流し前記リターンガス供給管及び前記リターンガス吸い込み管を冷却する冷却配管とを備えたことを特徴とする。
【００１５】
請求項４の発明に係わるリターンガス供給系統冷却システムは、請求項３の発明において、前記冷却配管に、ボイルオフガスを遮断する遮断弁及びボイルオフガスの流量を調節する流量調節弁を設けたことを特徴とする。
【発明の効果】
【００１６】
本発明によれば、高圧貯槽から低圧貯槽にボイルオフガスを流す冷却配管を設け、常時、遠心式ボイルオフガス圧縮機のボイルオフガス吸い込み管及び往復式ボイルオフガス圧縮機のボイルオフガス吸い込み管を冷却しているので、遠心式ボイルオフガス圧縮機や往復式ボイルオフガス圧縮機を速やかに起動できる。
【００１７】
また、高圧貯槽から低圧貯槽にボイルオフガスを流す冷却配管を設け、常時、リターンガスブロアのリターンガス供給管及びリターンガス吸い込み管を冷却しているので、ＬＮＧの揚荷を速やかに行うことができる。
【発明を実施するための最良の形態】
【００１８】
以下、本発明の実施の形態を説明する。図１は本発明の第１の実施の形態に係わるボイルオフガス吸い込み管冷却システムの系統構成図である。高圧貯槽群１１は、ＬＮＧを高圧で貯蔵した複数個の高圧貯槽１２ａ〜１２ｄからなり、例えば、ＬＮＧを１２０［hPa］で貯蔵している。一方、低圧貯槽群１３は、ＬＮＧを低圧で貯蔵した複数個の低圧貯槽１４ａ〜１４ｄからなり、例えば、ＬＮＧを６０［hPa］で貯蔵している。
【００１９】
高圧貯槽１２ａ〜１２ｄや低圧貯槽１４ａ〜１４ｄでは、ボイルオフガス（ＢＯＧ）の発生量に応じて内圧が変化するので、高圧貯槽１２ａ〜１２ｄや低圧貯槽１４ａ〜１４ｄの内圧が上昇した場合にはボイルオフガス圧縮機によりボイルオフガスを外部に排出し、高圧貯槽１２ａ〜１２ｄや低圧貯槽１４ａ〜１４ｄの内圧を設定値になるように制御している。
【００２０】
高圧貯槽群１１側では、高圧貯槽１２ａ〜１２ｄで発生したボイルオフガスを排出するための高圧側ボイルオフガス排出配管１５が設けられている。この高圧側ボイルオフガス排出配管１５には、高圧側遠心式ボイルオフガス圧縮機１６がボイルオフガス吸い込み管１７を介して設置され、また、高圧側往復式ボイルオフガス圧縮機１８ａ、１８ｂがボイルオフガス吸い込み管１９ａ、１９ｂを介して設置されている。また、高圧側ボイルオフガス排出配管１５の高圧側往復式ボイルオフガス圧縮機１８ａ、１８ｂの間には通常時は開いている連絡弁２０が設けられている。
【００２１】
高圧側遠心式ボイルオフガス圧縮機１６は、例えば、高圧貯槽１２ａ〜１２ｄの内圧が所定圧力になるように高圧貯槽１２ａ〜１２ｄで発生したボイルオフガスを排出し、高圧側遠心式ボイルオフガス圧縮機１６でのボイルオフガスの排出だけでは、高圧貯槽１２ａ〜１２ｄの内圧を所定圧力に維持できない場合には、高圧側往復式ボイルオフガス圧縮機１８ａ、１８ｂを起動して、高圧貯槽１２ａ〜１２ｄの内圧を所定圧力に維持するようにしている。  低圧貯槽群１３側においても、同様に、低圧貯槽１４ａ〜１４ｄで発生したボイルオフガスを排出するための低圧側ボイルオフガス排出配管２１が設けられている。この低圧側ボイルオフガス排出配管２１には、低圧側遠心式ボイルオフガス圧縮機２２がボイルオフガス吸い込み管２３を介して設置され、また、低圧側往復式ボイルオフガス圧縮機２４ａ、２４ｂがボイルオフガス吸い込み管２５ａ、２５ｂを介して設置されている。また、低圧側ボイルオフガス排出配管２１の低圧側往復式ボイルオフガス圧縮機２５ａ、２５ｂの間には通常時は開いている連絡弁２６が設けられている。
【００２２】
低圧側遠心式ボイルオフガス圧縮機２２は、例えば、低圧貯槽１４ａ〜１４ｄの内圧が所定圧力になるように低圧貯槽１４ａ〜１４ｄで発生したボイルオフガスを排出し、低圧側遠心式ボイルオフガス圧縮機２２でのボイルオフガスの排出だけでは、低圧貯槽１４ａ〜１４ｄの内圧を所定圧力に維持できない場合には、低圧側往復式ボイルオフガス圧縮機２４ａ、２４ｂを起動して、低圧貯槽１４ａ〜１４ｄの内圧を所定圧力に維持するようにしている。
【００２３】
また、高圧側ボイルオフガス排出配管１５と低圧側ボイルオフガス排出配管２１との間は連絡弁２７が設けられており通常時は閉じている。連絡弁２０、２６、２７は、高圧側ボイルオフガス排出配管１５に設置された高圧側往復式ボイルオフガス圧縮機１８ｂを低圧側ボイルオフガス排出配管２１に接続して使用する場合や、逆に、低圧側ボイルオフガス排出配管２１に設置された低圧側往復式ボイルオフガス圧縮機２４ｂを高圧側ボイルオフガス排出配管１５に接続して使用する場合に使用される。
【００２４】
例えば、低圧側ボイルオフガス排出配管２１に設置された低圧側往復式ボイルオフガス圧縮機２４ｂを高圧側ボイルオフガス排出配管１５に接続する際には、連絡弁２６を閉じて連絡弁２７を開き、低圧側往復式ボイルオフガス圧縮機２４ｂを低圧側ボイルオフガス排出配管２１側から遮断するとともに、高圧側ボイルオフガス排出配管１５側に接続する。これにより、低圧側往復式ボイルオフガス圧縮機２４ｂは高圧側ボイルオフガス排出配管１５に組み込まれ、高圧貯槽１２ａ〜１２ｄの内圧を所定圧力に維持するように運転される。
【００２５】
高圧側ボイルオフガス排出配管１５と低圧側ボイルオフガス排出配管２１との間を連絡する連絡弁２７は通常時は閉じているが、その連絡弁２７をバイパスして冷却配管２８が設けられている。この冷却配管２８は、高圧側ボイルオフガス排出配管１５と低圧側ボイルオフガス排出配管２１とを接続して配置されるので、高圧貯槽１２ａ〜１２ｄと低圧貯槽１４ａ〜１４ｄとの圧力差により、高圧貯槽１２ａ〜１２ｄから低圧貯槽１４ａ〜１４ｄにボイルオフガスが流れることになる。このボイルオフガスの流れにより、高圧側往復式ボイルオフガス圧縮機１８ａ、１８ｂのボイルオフガス吸い込み管１９ａ、１９ｂ及び低圧側往復式ボイルオフガス圧縮機２４ａ、２４ｂのボイルオフガス吸い込み管２５ａ、２５ｂを冷却する。
【００２６】
このように、ＬＮＧを貯蔵する貯槽の内圧が異なる高圧貯槽群１１と低圧貯槽群１３とを活用し、内圧が高い高圧貯槽１２ａ〜１２ｄから内圧が低い低圧貯槽１４ａ〜１４ｄへボイルオフガスを流すことにより、高圧側往復式ボイルオフガス圧縮機１８ａ、１８ｂのボイルオフガス吸い込み管１９ａ、１９ｂ及び低圧側往復式ボイルオフガス圧縮機２４ａ、２４ｂのボイルオフガス吸い込み管２５ａ、２５ｂを冷却する。
【００２７】
また、ボイルオフガスをあまり流し過ぎると、高圧側往復式ボイルオフガス圧縮機１８ａ、１８ｂのボイルオフガス吸い込み管１９ａ、１９ｂ及び低圧側往復式ボイルオフガス圧縮機２４ａ、２４ｂのボイルオフガス吸い込み管２５ａ、２５ｂが過冷却となる恐れがあることから、冷却配管２８には流量調節弁２９を設けて、流量調節弁２９にて最適なボイルオフガス流量に制御する。また、冷却配管２８に遮断弁３０を設けて、ボイルオフガスを流してはいけないときには遮断弁３０でボイルオフガスの流れを遮断する。
【００２８】
以上の説明では、高圧側ボイルオフガス排出配管１５に２台の高圧側高圧側往復式ボイルオフガス圧縮機１８ａ、１８ｂが接続され、低圧側ボイルオフガス排出配管２１に２台の低圧側往復式ボイルオフガス圧縮機２５ａ、２５ｂが設置された場合について説明したが、高圧側ボイルオフガス排出配管１５または低圧側ボイルオフガス排出配管２１のいずれか一方に少なくとも１台以上が設置される場合にも適用可能である。
【００２９】
また、往復式ボイルオフガス圧縮機１８ａ、１８ｂ、２４ａ、２４ｂのボイルオフガス吸い込み管１９ａ、１９ｂ、２５ａ、２５ｂを冷却する場合について説明したが、停止中の遠心式ボイルオフガス圧縮機１６、２２のボイルオフガス吸い込み管１７、２３を冷却する場合にも適用可能である。
【００３０】
第１の実施の形態によれば、ＬＮＧを貯蔵する貯槽の内圧が異なる高圧貯槽群１１と低圧貯槽群１３とを接続する冷却配管２８を設け、冷却配管２８を通して高圧貯槽１２ａ〜１２ｄから低圧貯槽１４ａ〜１４ｄに常時ボイルオフガスを流すので、常に往復式ボイルオフガス圧縮機１８ａ、１８ｂ、２４ａ、２４ｂのボイルオフガス吸い込み管１９ａ、１９ｂ、２５ａ、２５ｂや遠心式ボイルオフガス圧縮機１６、２２のボイルオフガス吸い込み管１７、２３を冷却することができる。従って、インタークーラーを設置しなくても往復式ボイルオフガス圧縮機や遠心式ボイルオフガス圧縮機を常に起動できる状態にあるので、停止中の往復式ボイルオフガス圧縮機や遠心式ボイルオフガス圧縮機の起動を速やかに行うことができる。
【００３１】
次に、本発明の第２の実施の形態を説明する。図２は本発明の第２の実施の形態に係わるリターンガス供給系統冷却システムの系統構成図である。この第２の実施の形態は、ＬＮＧ船からＬＮＧを高圧貯槽または低圧貯槽に揚荷する際に使用するリターンガスブロアのリターンガス供給管やリターンガス吸い込み管等のリターンガス供給系統を冷却する場合に適用したものである。
【００３２】
図２において、高圧貯槽群１１は、ＬＮＧを高圧で貯蔵した複数個の高圧貯槽１２ａ〜１２ｄからなり、例えば、ＬＮＧを１２０［hPa］で貯蔵している。一方、低圧貯槽群１３は、ＬＮＧを低圧で貯蔵した複数個の低圧貯槽１４ａ〜１４ｄからなり、例えば、ＬＮＧを６０［hPa］で貯蔵している。
【００３３】
高圧貯槽１２ａ〜１２ｄや低圧貯槽１４ａ〜１４ｄには、ＬＮＧ船５０ａ、５０ｂからＬＮＧが揚荷される。その際には、高圧側リターンガスブロア３１ａ、３１ｂや低圧側リターンガスブロア３２ａ、３２ｂにより、高圧貯槽１２ａ〜１２ｄや低圧貯槽１４ａ〜１４ｄからボイルオフガスをリターンガスとして送り出し弁４９ａ、４９ｂを介してＬＮＧ船５０ａ、５０ｂに供給し、ＬＮＧを払い出し時に負圧とならないようにしている。
【００３４】
高圧貯槽群１１側では、高圧貯槽１２ａ〜１２ｄで発生したボイルオフガスの一部をＬＮＧ船５０ａに供給するための高圧側リターンガスブロア３１ａ、３１ｂが設けられており、高圧側リターンガス供給母管３３及びリターンガス吐出管３５ａ、３５ｂでリターンガス供給管を構成している。高圧側リターンガスブロア３１ａ、３１ｂはリターンガス吸い込み管３４を介してそれぞれボイルオフガス吸い込み分岐管３４ａ、３４ｂにより高圧貯槽１２ａ〜１２ｄで発生したボイルオフガスを吸い込みリターンガス吐出管３５ａ、３５ｂによりＬＮＧ船にボイルオフガスを供給する。リターンガス吐出管３５ａ、３５ｂには吐出弁３６ａ、３６ｂが設けられ、リターンガス吐出管３５ａ、３５ｂは高圧側リターンガス供給母管３３に接続されている。そして、高圧側リターンガス供給母管３３のリターンガス吐出管３５ａ、３５ｂの接続間には、通常時は開いている連絡弁３７が設けられている。さらに、高圧側リターンガス供給母管３３には、ボイルオフガス量を調節するための循環流量調節弁３８が設けられている。
【００３５】
低圧貯槽群１３側においても、同様に、低圧貯槽１４ａ〜１４ｄで発生したボイルオフガスの一部をＬＮＧ船５０ｂに供給するための低圧側リターンガスブロア３２ａ、３２ｂが設けられており、低圧側リターンガス供給母管３９及びリターンガス吐出管４１ａ、４１ｂでリターンガス供給管を構成している。低圧側リターンガスブロア３２ａ、３２ｂはリターンガス吸い込み管４０を介してそれぞれボイルオフガス吸い込み分岐管４０ａ、４０ｂにより低圧貯槽１４ａ〜１４ｄで発生したボイルオフガスを吸い込みリターンガス吐出管４１ａ、４１ｂによりＬＮＧ船５０ｂにボイルオフガスを供給する。リターンガス吐出管４１ａ、４１ｂには吐出弁４２ａ、４２ｂが設けられ、リターンガス吐出管４１ａ、４１ｂは低圧側リターンガス供給母管３９に接続されている。そして、低圧側リターンガス供給母管３９のリターンガス吐出管４１ａ、４１ｂの接続間には、通常時は開いている連絡弁４３が設けられている。さらに、低圧側リターンガス供給母管３９には、ボイルオフガス量を調節するための循環流量調節弁４４が設けられている。
【００３６】
また、高圧側リターンガス供給母管３３と低圧側リターンガス供給母管３９との間には連絡弁４５が設けられており通常時は閉じている。また、高圧側リターンガス供給母管３３と低圧側リターンガス供給母管３９とを連絡する連絡弁４５に並列に冷却配管４６が設けられている。すなわち、連絡弁４５をバイパスして冷却配管４６が設けられ、この冷却配管４６には、流量調節弁４７及び遮断弁４８が設けられている。
【００３７】
次に、リターンガス供給管及びリターンガス吸い込み管を冷却する場合について説明する。高圧側リターンガスブロア３１ａ、３１ｂ及び低圧側リターンガスブロア３２ａ、３２ｂが停止しているときは、高圧側のリターンガス吐出管３５ａ、３５ｂの吐出弁３６ａ、３６ｂ及び低圧側のリターンガス吐出管４１ａ、４１ｂの吐出弁４２ａ、４２ｂはいずれも閉じている。また、高圧側リターンガス供給母管３３と低圧側リターンガス供給母管３９との間を連絡する連絡弁４５も閉じている。
【００３８】
この状態で、連絡弁４５をバイパスした冷却配管４６の遮断弁４８及び流量調節弁４７を開き、高圧側リターンガス供給母管３３の連絡弁３７及び循環流量調節弁３８を開くとともに、低圧側リターンガス供給母管３９の連絡弁４３及び循環流量調節弁４４を開く。これにより、高圧側リターンガス供給母管３３と低圧側リターンガス供給母管３９とが接続されるので、高圧貯槽１２ａ〜１２ｄと低圧貯槽１４ａ〜１４ｄとの圧力差により、図２の矢印に示すように、高圧貯槽１２ａ〜１２ｄから低圧貯槽１４ａ〜１４ｄにボイルオフガスが流れることになる。このボイルオフガスの流れにより、リターンガス供給管のうちの高圧側リターンガス供給母管３３及び低圧側リターンガス供給母管３９が冷却されるとともに、リターンガス吸い込み管３４、４０が冷却される。
【００３９】
このように、ＬＮＧを貯蔵する貯槽の内圧が異なる高圧貯槽群１１と低圧貯槽群１３とを活用し、内圧が高い高圧貯槽１２ａ〜１２ｄから内圧が低い低圧貯槽１４ａ〜１４ｄへボイルオフガスを流すことにより、高圧側リターンガス供給母管３３や低圧側リターンガス供給母管３９を冷却するとともに、リターンガス吸い込み管３４、４０を冷却する。
【００４０】
冷却配管４６の流量調節弁４７は、高圧側リターンガス供給母管３３、低圧側リターンガス供給母管３９及びリターンガス吸い込み管３４、４０が過冷却とならないようにボイルオフガス流量を調節するものである。また、冷却配管４６の遮断弁４８はボイルオフガスを流してはいけないときにボイルオフガスの流れを遮断するものである。
【００４１】
第２の実施の形態によれば、ＬＮＧを貯蔵する貯槽の内圧が異なる高圧貯槽群１１と低圧貯槽群１３とを接続する冷却配管４６を設け、冷却配管４６を通して高圧貯槽１２ａ〜１２ｄから低圧貯槽１４ａ〜１４ｄに常時ボイルオフガスを流すので、常に高圧側リターンガス供給母管３３、低圧側リターンガス供給母管３９及びリターンガス吸い込み管３４、４０を冷却することができる。従って、ＬＮＧ船５０ａ、５０ｂから高圧貯槽群１１や低圧貯槽群１３にＬＮＧを揚荷する際に、揚荷したＬＮＧ容積に合わせてＬＮＧ船５０ａ、５０ｂにリターンガスを速やかに供給でき、ＬＮＧの揚荷工程を短縮できる。
【図面の簡単な説明】
【００４２】
【図１】本発明の第１の実施の形態に係わるボイルオフガス吸い込み管冷却システムの系統構成図。
【図２】本発明の第２の実施の形態に係わるリターンガス供給系統冷却システムの系統構成図。
【符号の説明】
【００４３】
１１…高圧貯槽群、１２…高圧貯槽、１３…低圧貯槽群、１４…低圧貯槽、１５…高圧側ボイルオフガス排出配管、１６…高圧側遠心式ボイルオフガス圧縮機、１７…ボイルオフガス吸い込み管、１８…高圧側往復式ボイルオフガス圧縮機、１９…ボイルオフガス吸い込み管、２０…連絡弁、２１…低圧側ボイルオフガス排出配管、２２…低圧側遠心式ボイルオフガス圧縮機、２３…ボイルオフガス吸い込み管、２４…低圧側往復式ボイルオフガス圧縮機、２５…ボイルオフガス吸い込み管、２６…連絡弁、２７…連絡弁、２８…冷却配管、２９…流量調節弁、３０…遮断弁、３１…高圧側リターンガスブロア、３２…低圧側リターンガスブロア、３３…高圧側リターンガス供給母管、３４…リターンガス吸い込み管、３５…リターンガス吐出管、３６…吐出弁、３７…連絡弁、３８…循環流量調節弁、３９…低圧側リターンガス供給母管、４０…リターンガス吸い込み管、４１…リターンガス吐出管、４２…吐出弁、４３…連絡弁、４４…循環流量調節弁、４５…連絡弁、４６…冷却配管、４７…流量調節弁、４８…遮断弁、４９…送り出し弁、５０…ＬＮＧ船
【図１】
2006258118.tif 000003
【図２】
2006258118.tif 000004